(57)【要約】【課題】納骨が容易で、納骨費用を低減することができる墓を提供する。【解決手段】納骨堂２が、側部開口１２を有し、内部に納骨室１１を形成している。１対の壁部４が、側部開口１２の外方を両側から挟むよう、側部開口１２の外側に突出して設けられている。各壁部４は、互いに対向する位置に上下方向に伸びて上端が開放したガイド溝１３を有している。スライド板５が、各ガイド溝１３に沿ってスライドし、各壁部４の間を開閉可能に設けられている。蓋６が、各壁部４およびスライド板５とともに側部開口１２を覆うよう、各壁部４の上に架け渡されている。【選択図】図１
0003124313.tif 000002
【実用新案登録請求の範囲】
【請求項１】
納骨堂と１対の壁部とスライド板と蓋とを有し、
前記納骨堂は側部開口を有し、内部に納骨室を形成しており、
各壁部は前記側部開口の外方を両側から挟むよう前記側部開口の外側に突出して設けられ、互いに対向する位置に上下方向に伸びて上端が開放したガイド溝を有し、
前記スライド板は各ガイド溝に沿ってスライドし各壁部の間を開閉可能に設けられ、
前記蓋は各壁部および前記スライド板とともに前記側部開口を覆うよう各壁部の上に架け渡されていることを、
特徴とする墓。
【請求項２】
納骨堂と開閉部材と被覆部材とを有し、
前記納骨堂は側部開口を有し、内部に納骨室を形成しており、
前記開閉部材は前記納骨室の外側に向かって開く観音開きの扉から成り、前記側部開口を開閉可能に設けられ、
前記被覆部材は前記開閉部材を閉じたとき前記開閉部材の扉の合わせ目の前方を覆うよう設けられていることを、
特徴とする墓。
【考案の詳細な説明】
【技術分野】
【０００１】
本考案は、墓に関する。
【背景技術】
【０００２】
従来の墓では、床材や墓石、骨蓋、経机、花立、香炉、拝石などの石材を移動して納骨堂を開け、納骨を行っていた（例えば、特許文献１参照）。
【０００３】
【特許文献１】特開平１１−１４１１８９号公報
【考案の開示】
【考案が解決しようとする課題】
【０００４】
しかしながら、特許文献１記載のような従来の墓では、重い石材を動かさなければならないため、一人で納骨するのは困難であるという課題があった。また、このため、人手や時間を要し、納骨費用が嵩むという課題もあった。
【０００５】
本考案は、このような課題に着目してなされたもので、納骨が容易で、納骨費用を低減することができる墓を提供することを目的とする。
【課題を解決するための手段】
【０００６】
上記目的を達成するために、第１の本考案に係る墓は、納骨堂と１対の壁部とスライド板と蓋とを有し、前記納骨堂は側部開口を有し、内部に納骨室を形成しており、各壁部は前記側部開口の外方を両側から挟むよう前記側部開口の外側に突出して設けられ、互いに対向する位置に上下方向に伸びて上端が開放したガイド溝を有し、前記スライド板は各ガイド溝に沿ってスライドし各壁部の間を開閉可能に設けられ、前記蓋は各壁部および前記スライド板とともに前記側部開口を覆うよう各壁部の上に架け渡されていることを、特徴とする。
【０００７】
第１の本考案に係る墓では、納骨の際、各壁部の上から蓋を取り外し、さらにガイド溝に沿ってスライドさせてスライド板を上方に取り外すことにより、側部開口を通して納骨室に容易に納骨することができる。このため、重い石材を動かして納骨する従来の方法に比べて、納骨費用を低減することができる。
【０００８】
側部開口は蓋と各壁部とスライド板により覆われるので、外部から納骨堂の開け方がわかりにくくなっている。このため、納骨室が荒らされにくい。スライド板はガイド溝に案内されるため、取り外しや取り付けが容易である。なお、蓋は、上部に花瓶や香炉などを載せる台から成っていてもよい。
【０００９】
第２の本考案に係る墓は、納骨堂と開閉部材と被覆部材とを有し、前記納骨堂は側部開口を有し、内部に納骨室を形成しており、前記開閉部材は前記納骨室の外側に向かって開く観音開きの扉から成り、前記側部開口を開閉可能に設けられ、前記被覆部材は前記開閉部材を閉じたとき前記開閉部材の扉の合わせ目の前方を覆うよう設けられていることを、特徴とする。
【００１０】
第２の本考案に係る墓では、納骨の際、被覆部材を取り外し、開閉部材により側部開口を開けることにより、側部開口を通して納骨室に容易に納骨することができる。このため、重い石材を動かして納骨する従来の方法に比べて、納骨費用を低減することができる。
【００１１】
側部開口が開閉部材により覆われ、さらに開閉部材の扉の合わせ目の前方が被覆部材により覆われるため、外部から納骨堂の開け方がわかりにくくなっている。このため、納骨室が荒らされにくい。なお、被覆部材は、納骨堂に着脱可能に設けられていても、開閉部材に着脱可能に設けられていてもよい。
本明細書において、墓は、墓標であっても外柵であってもよい。
【考案の効果】
【００１２】
本考案によれば、一人で容易に納骨することができ、納骨費用を低減することができる墓を提供することができる。
【考案を実施するための最良の形態】
【００１３】
以下、図面に基づき本考案の実施の形態について説明する。
図１乃至図３は、本考案の第１の実施の形態の墓を示している。
図１乃至図３に示すように、墓１は、納骨堂２と底板３と１対の壁部４とスライド板５と蓋６とを有している。
【００１４】
なお、墓１は、その他に、地表に置かれた下台７と、下台７の上に載せられた中台（図示せず）と、中台の上に載せられた棹（図示せず）と、中台の前で下台７の上に載せられた拝石８と、拝石８の上に載せられた香炉９と、香炉９を挟んで拝石８の上に載せられた１対の花立１０とを有している。これらの墓１の構成部材は、すべて石材から成っている。
【００１５】
納骨堂２は、下台７の内部に、函形に形成されている。納骨堂２は、両側方および後方が石材に取り囲まれ、上部が中台および拝石８に覆われて、内部に納骨室１１を形成している。納骨堂２は、両側方の石材２ａ、拝石８の前方下縁部および地表面で取り囲まれた側部開口１２を有している。納骨堂２は、骨壺を両手で持って、側部開口１２から納骨室１１に収容可能に形成されている。なお、両側方の石材２ａは、側部開口１２から前方に突出している。
【００１６】
底板３は、矩形状で、所定の厚みを有している。底板３は、側部開口１２の前方の地表に置かれている。底板３は、側部開口１２の外側に突出した両側方の石材２ａの間に配置されている。各壁部４は、矩形板状で、所定の厚みを有している。各壁部４は、側部開口１２の外側に突出した両側方の石材２ａに沿って、所定の間隔を開けて、互いに対向して底板３の上に配置されている。各壁部４は、側部開口１２の外方を両側から挟むよう側部開口１２の外側に突出して設けられ、両側方の石材２ａの側部開口１２から突出した部分の内側面を覆っている。各壁部４は、上端が側部開口１２の上縁と同じ高さになっている。各壁部４は、互いに対向する位置に上下方向に伸びて上端から下端まで連続して設けられたガイド溝１３を有している。
【００１７】
スライド板５は、矩形板から成り、各ガイド溝１３に沿ってスライドして各壁部４の間を開閉可能に、各ガイド溝１３に挿入されている。スライド板５は、上縁が側部開口１２の上縁と同じ高さになり、両側縁が各壁部４のガイド溝１３にスムーズに挿入される大きさに形成されている。
【００１８】
蓋６は、細長い矩形板状で、経机として利用可能になっている。蓋６は、側部開口１２の外側に突出した両側方の石材２ａの突出量より長い幅を有している。蓋６は、各壁部４およびスライド板５とともに側部開口１２を覆うよう、各壁部４の上に架け渡されている。蓋６は、両端に幅方向に沿って、上方に突出して設けられた円柱状の突出部６ａを有している。
【００１９】
次に、作用について説明する。
墓１では、納骨の際、各壁部４の上から蓋６を取り外し、さらに各ガイド溝１３に沿ってスライドさせてスライド板５を上方に取り外すことにより、側部開口１２を通して納骨室１１に容易に納骨することができる。このため、重い石材を動かして納骨する従来の方法に比べて、納骨費用を低減することができる。
【００２０】
側部開口１２は蓋６と各壁部４とスライド板５により覆われるので、外部から納骨堂２の開け方がわかりにくくなっている。このため、納骨堂が荒らされにくい。スライド板５は各ガイド溝１３に案内されるため、取り外しや取り付けが容易である。
【００２１】
図４は、本考案の第２の実施の形態の墓を示している。
図４に示すように、墓は、納骨堂５１と開閉部材５２と被覆部材５３とを有している。
【００２２】
なお、墓は、その他に、地表に置かれた下台（図示せず）と、下台の上に載せられた中台（図示せず）と、中台の上に載せられた棹（図示せず）とを有している。これらの墓の構成部材は、すべて石材から成っている。
【００２３】
納骨堂５１は、下台の内部に、函形に形成されている。納骨堂５１は、側部開口６１を有し、内部に納骨室６２を形成している。また、納骨堂５１は、底板６３と１対の側壁部材６４と天井板６５とを有している。底板６３は、矩形状で、側部開口６１の下縁に沿って設けられている。底板６３は、上面の中央前方に、やや浅めに彫られた下方凹部６３ａを有している。各側壁部材６４は、角柱状で、側部開口６１の両側縁に沿って底板６３の上に配置されている。各側壁部材６４は、底板６３の両端部に、所定の間隔を開けて、互いに対向して設けられている。各側壁部材６４は、互いに対向する前部の上下方向の側縁が面取りされている。
【００２４】
天井板６５は、ほぼ矩形状で、側部開口６１の上縁に沿って設けられている。天井板６５は、各側壁部材６４に挟まれた空間の上方を被覆するよう、各側壁部材６４の上に架け渡されている。天井板６５は、底板６３の下方凹部６３ａに対向する下面の位置に、下方凹部６３ａと同じ大きさで下方凹部６３ａより深く彫られた上方凹部（図示せず）を有している。天井板６５は、前方の側面中央が、円弧状に突出した形状に形成されている。側部開口６１は、底板６３、各側壁部材６４および天井板６５で周囲を囲まれて形成されている。
【００２５】
開閉部材５２は、２枚の矩形状の石板から成り、側部開口６１を開閉可能に設けられた観音開きの扉から成っている。開閉部材５２は、納骨室６２の外側に向かって開くようになっている。開閉部材５２は、底板６３および天井板６５に回転可能に取り付けられている。
【００２６】
被覆部材５３は、細長い角柱状の石材から成り、底板６３の下方凹部６３ａおよび天井板６５の上方凹部よりやや小さい横断面を有している。被覆部材５３は、一端を上方凹部６３ａの奥まで挿入してから、他端を下方凹部６３ａに挿入して取り付け、逆の手順で取り外すようになっている。被覆部材５３は、開閉部材５２を閉じたとき開閉部材５２の扉の合わせ目の前方を覆うよう取付可能になっている。被覆部材５３は、取り付けられたとき前方に位置する上下方向の２つの側縁が面取りされている。
【００２７】
次に、作用について説明する。
墓では、納骨の際、被覆部材５３を取り外し、開閉部材５２により側部開口６１を開けることにより、側部開口６１を通して納骨室６２に容易に納骨することができる。このため、重い石材を動かして納骨する従来の方法に比べて、納骨費用を低減することができる。側部開口６１が開閉部材５２により覆われ、さらに開閉部材５２の扉の合わせ目の前方が被覆部材５３により覆われるため、外部から納骨堂５１の開け方がわかりにくくなっている。このため、納骨室６２が荒らされにくい。
【図面の簡単な説明】
【００２８】
【図１】本考案の第１の実施の形態の墓を示す斜視図である。
【図２】図１に示す墓の側部開口を開いている使用状態を示す斜視図である。
【図３】図１に示す墓の側部開口を開いた使用状態を示す斜視図である。
【図４】本考案の第２の実施の形態の墓を示す（ａ）側部開口を閉じた使用状態を示す斜視図、（ｂ）側部開口を開いた使用状態を示す斜視図である。
【符号の説明】
【００２９】
１    墓
２    納骨堂
３    底板
４    壁部
５    スライド板
６    蓋
７    下台
８    拝石
９    香炉
１０  花立
１１  納骨室
１２  側部開口
１３  ガイド溝
【図１】
0003124313.tif 000003
【図２】
0003124313.tif 000004
【図３】
0003124313.tif 000005
【図４】
0003124313.tif 000006